(57)【要約】【課題】光ディスク装置において、未記録ディスクに対しても、安定した記録が可能なフォーカスオフセット設定技術の提供。【解決手段】フォーカスオフセットを可変しＲＦ信号の信号振幅の最大位置と再生エラー信号の最小位置とを求め、該両位置間でフォーカスオフセットを設定し、該設定したフォーカスオフセットに基づき光ヘッドを制御し、光ディスクの所定領域に試し書きを行う。【選択図】  図２
2005050394.tif 000002
【特許請求の範囲】
【請求項１】
光ディスクに対し情報を記録、再生のいずれか一方または両方を行う光ディスク装置であって、
上記光ディスクにレーザー光を照射し情報の記録または読出しを行う光ヘッドと、
フォーカスオフセットを可変して、上記光ヘッドの出力に基づくＲＦ信号の信号振幅の最大と再生エラー信号の最小とを求め、該両者間にフォーカスオフセットを設定する手段と、
上記設定されたフォーカスオフセットに基づき上記光ヘッドを制御する光ヘッド制御手段と、
記録媒体の試し書き領域に試し書きを行う試し書き再生手段と、
上記試し書再生手段から得られる試し書き再生情報を基に、データ記録に適するレーザー光のパワーを判別するレーザーパワー判別手段と、
上記レーザーパワー判別手段に基づき記録パワーを制御する記録パワー制御手段と、
を備え、上記光ディスクへの情報の記録またはつなぎ記録に先立ち、上記フォーカスオフセットの設定で上記光ディスクの所定領域に試し書きを行うことを特徴とする光ディスク装置。
【請求項２】
光ディスクに対し情報を記録、再生のいずれか一方または両方を行う光ディスク装置であって、
上記光ディスクにレーザー光を照射し情報の記録または読出しを行う光ヘッドと、
フォーカスオフセットを変えて、トラッキングエラー信号の振幅の最大、フォーカスエラー検出回路オフセットゼロ、上記光ヘッドの出力に基づくＲＦ信号の信号振幅の最大、再生エラー信号の最小のうちの全部のものまたは一部のものを求め、上記トラッキングエラー信号の振幅の最大と上記フォーカスエラー検出回路オフセットゼロとの間には第１のフォーカスオフセットを設定し、上記ＲＦ信号の信号振幅の最大と上記再生エラー信号の最小との間には第２のフォーカスオフセットを設定し、上記ＲＦ信号の信号振幅の最大と上記フォーカスエラー検出回路オフセットとの間には第３のフォーカスオフセットを設定するフォーカスオフセット設定手段と、
上記設定された上記第１及び第２のフォーカスオフセットに基づき上記光ヘッドを制御する光ヘッド制御手段と、
を備え、上記光ディスクが未記録状態のときは、記録またはつなぎ記録に先立ち、上記第１及び第２のフォーカスオフセットの設定で上記光ディスクの所定領域に試し書きを行うことを特徴とする光ディスク装置。
【請求項３】
光ディスクに対し情報を記録、再生のいずれか一方または両方を行う光ディスク装置であって、
上記光ディスクにレーザー光を照射し情報の記録または読出しを行う光ヘッドと、
フォーカスオフセットを変えて、トラッキングエラー信号の振幅の最大と、フォーカスエラー検出回路オフセットゼロ、上記光ヘッドの出力に基づくＲＦ信号の信号振幅の最大と、再生エラー信号の最小とを求め、上記トラッキングエラー信号の振幅の最大と上記フォーカスエラー検出回路オフセットとの間には第１のフォーカスオフセットを設定し、上記ＲＦ信号の信号振幅の最大と上記再生エラー信号の最小との間には第２のフォーカスオフセットを設定し、上記ＲＦ信号の信号振幅の最大と上記フォーカスエラー検出回路オフセットゼロとの間には第３のフォーカスオフセットを設定するフォーカスオフセット設定手段と、
上記設定された上記第１、第２または第３のフォーカスオフセットに基づき上記光ヘッドを制御する光ヘッド制御手段と、
を備え、上記光ディスクが未記録状態のときは、記録またはつなぎ記録に先立ち、上記第１及び第２のフォーカスオフセットの設定で上記光ディスクの所定領域に試し書きを行い、上記光ディスクが未記録状態でないときは、上記第２または第３のフォーカスオフセットの設定で上記光ディスクの所定領域に試し書きを行うことを特徴とする光ディスク装置。
【請求項４】
上記第２のフォーカスオフセットとトラッキングエラー振幅の最大となるフォーカスオフセットの第１の差分量を記憶する第１のメモリ手段と、上記トラッキングエラー振幅の最大となるフォーカスオフセットの第２の差分量を記憶する第２のメモリ手段とを有し、予め記録済みディスクにおいて、フォーカスオフセットを変えてトラッキングエラー振幅の最大、再生エラー信号の最小となる点を求め、上記第１のメモリ手段及び第２のメモリ手段に上記第１の差分量及び第２の差分量を記録するステップを有し、上記と異なるディスクを再生、記録及びつなぎ記録を行う場合、上記第１のメモリ手段に記録された上記第１の差分量にフォーカスオフセットを変えて、トラッキングエラー振幅の最大となるフォーカスオフセットを加算し、上記第４のフォーカスオフセットを設定するフォーカスオフセット設定手段と、上記設定された第４のフォーカスオフセットに基づき上記光ヘッドを制御する光ヘッド制御手段とを備え、記録及びつなぎ記録を行うに先立ち、上記光ディスクの設定領域に試し書きを行い、ディスクに記録されたデータを再生する場合、上記第２のメモリ手段に記録された上記第２の差分量に、フォーカスオフセットを変えて、トラッキングエラー振幅の最大となるフォーカスオフセットを加算し、上記第５のフォーカスオフセットを設定するフォーカスオフセット設定手段と、上記設定された代５のフォーカスオフセットに基づき上記光ヘッドを制御する光ヘッド制御手段とを備え、データ再生することを特徴とする請求項２または請求項３に記載の光ディスク装置。
【請求項５】
上記第１のメモリ手段と第２のメモリ手段は、マイクロプロセッサの中のプログラムの中で設定されている構成である請求項４に記載の光ディスク装置。
【請求項６】
光ディスクに対し情報を記録、再生のいずれか一方または両方を行う光ディスク装置のフォーカスオフセット調整方法であって、
上記光ディスクにレーザー光を照射するステップと、
フォーカスオフセットを可変して、上記光ヘッドの出力に基づくＲＦ信号の信号振幅の最大と再生エラー信号の最小とを求めるステップと、
上記求めたＲＦ信号の信号振幅の最大と再生エラー信号の最小との間にフォーカスオフセットを設定するステップと、
上記設定されたフォーカスオフセットに基づき上記光ヘッドを制御するステップと、
上記制御された光ヘッド状態で上記光ディスクの所定領域に試し書きを行うステップと、
を経て、上記光ディスクへの情報の記録またはつなぎ記録に先立ち、フォーカスオフセットの調整を行うことを特徴とする光ディスク装置のフォーカスオフセット調整方法。
【請求項７】
光ディスクに対し情報を記録、再生のいずれか一方または両方を行う光ディスク装置のフォーカスオフセット調整方法であって、
上記光ディスクにレーザー光を照射するステップと、
フォーカスオフセットを変えて、トラッキングエラー信号の振幅の最大と、フォーカスエラー検出回路オフセットゼロと、ＲＦ信号の信号振幅の最大と、再生エラー信号の最小とを求めるステップと、
上記求めた上記トラッキングエラー信号の振幅の最大と上記フォーカスエラー検出回路オフセットゼロとの間には第１のフォーカスオフセットを設定し、上記ＲＦ信号の信号振幅の最大と上記再生エラー信号の最小との間には第２のフォーカスオフセットを設定するステップと、
上記設定した上記第１または第２のフォーカスオフセットに基づき上記光ヘッドを制御するステップと、
上記制御された光ヘッドで上記光ディスクの所定領域に試し書きを行うステップと、
を経て、上記光ディスクが未記録状態のとき、記録またはつなぎ記録に先立ち、フォーカスオフセットの調整を行うことを特徴とする光ディスク装置のフォーカスオフセット調整方法。
【請求項８】
光ディスクに対し情報を記録、再生のいずれか一方または両方を行う光ディスク装置のフォーカスオフセット調整用プログラムであって、
マイクロプロセッサに、
フォーカスオフセットを可変し、ＲＦ信号の信号振幅の最大と再生エラー信号の最小とを求める手順と、
上記求めたＲＦ信号の信号振幅の最大と再生エラー信号の最小との間にフォーカスオフセットを設定する手順と、
上記設定されたフォーカスオフセットに基づき上記光ヘッドを制御する手順と、
上記制御された光ヘッド状態で上記光ディスクの所定領域に試し書きを行わせる手順と、
を実行させ、上記光ディスクへの情報の記録またはつなぎ記録に先立ち、フォーカスオフセットの調整を可能にすることを特徴とする光ディスク装置のフォーカスオフセット調整用プログラム。
【発明の詳細な説明】
【０００１】
【発明の属する技術分野】
本発明は、光ディスク装置におけるフォーカスオフセットの調整技術に関する。
【０００２】
【従来の技術】
本発明に関連した従来技術としては、例えば特開平６−１３９５８３号公報（特許文献１）に記載されたものがある。該公報には、光ディスク装置において、適正なフォーカスオフセットを得ることを目的に、再生信号の変調度が最大になるオフセット量及びトラッキングエラー信号のピーク値が最大になるオフセット量の中間に、フォーカスサーボのオフセット量を設定する構成が記載されている。
【０００３】
【特許文献１】
特開平６−１３９５８３号公報
【０００４】
【発明が解決しようとする課題】
上記従来技術では再生信号を得るための再生動作が必要となる。このため、再生動作ができない光ディスクすなわち未記録ディスクには適用不可能である。また、つなぎ記録を行う際は、記録済み領域のデータを読み取り、該データに基づき記録を開始する。装置においては従来量のフォーカスオフセット量では、再生時に適した状態ではなく、再生エラーが多くなり、記録済み領域のデータが読めず、つなぎ記録ができないおそれがある。
本発明の課題点は、上記従来技術の状況に鑑み、光ディスク装置において、溝情報しか有しない完全未記録ディスクに対しても、つなぎ記録を含め、ｗｏｂｂｌｅ情報が良好となる状態での記録を可能とするフォーカスオフセットを実現することである。
本発明の目的は、かかる課題点を解決できる技術の提供にある。
【０００５】
【課題を解決するための手段】
上記課題点を解決するために、本発明では、基本的に、光ディスク装置において、フォーカスオフセットを可変しＲＦ信号の信号振幅の最大位置と再生エラー信号の最小位置とを求め、該両位置間にフォーカスオフセット位置を設定し、該設定したフォーカスオフセットに基づき光ヘッドを制御し、記録に先立ち光ディスクの所定領域に試し書きを行う。具体的には、上記を基本要件とする光ディスク装置と、そのフォーカスオフセット調整方法と、フォーカスオフセット調整用プログラムとを本発明として提案する。
【０００６】
【発明の実施の形態】
以下、本発明の実施例につき、図面を用いて説明する。
図１〜図３は、本発明の第１の実施例の説明図である。図１は、本発明の第１の実施例としての光ディスク装置の構成例図、図２は、図１の光ディスク装置におけるフォーカスオフセット調整の動作例図、図３は、図１の光ディスク装置におけるフォーカスオフセットの設定位置の説明図である。
【０００７】
図１において、１は光ディスク、２は、光ディスク１に対しレーザー光を照射し、該光ディスク１にデータを記録したり、記録されたデータを読出したりする光ヘッド、３は、光ヘッドをディスク１の半径方向に移動させるスレッド機構、４は光ディスク１を回転駆動するためのスピンドルモータ、６は、光ヘッド２から出射されるレーザー光のパワーを制御する記録パワー制御手段としてのレーザーパワー制御回路、７は、光ディスク１を識別するための識別データを変調する変調回路、８は、光ヘッド２で光ディスク１から読出した信号（以下、読出し信号という）から、光ヘッド制御用のフォーカスエラー信号とトラッキングエラー信号であるサーボ誤差信号を検出するフォーカスエラー検出回路とトラッキングエラー検出回路とから成るサーボ用信号検出回路、９は、サーボ用信号検出回路８からのサーボ誤差信号にフィルタ処理などを施し、光ディスク１上の所定位置にレーザー光が集光するように光ヘッド２を制御する光ヘッド制御手段としての光ヘッド制御回路、１０は、再生信号から、例えばＣＤにおけるＣ１エラーや、ＤＶＤにおけるＰＩエラーや、データＰＬＬの位相誤差量などの再生エラーの情報を検出するための再生エラー情報検出回路、１１は、光ヘッド２の読出し信号からＲＦ信号を復調する再生信号復調回路、１２は、マイコンを備え、フォーカスオフセット設定手段としてのフォーカスオフセットの設定を含め、装置全体の制御を行う装置制御回路、１３は、光ヘッド２の読出し信号から、ＯＰＣ（Ｏｐｔｉｍｕｍ  Ｐｏｗｅｒ  Ｃａｌｉｂｒａｔｉｏｎ）（光ディスク１の試し書き領域にデータを試し書きし、該試し書きしたデータを評価して最適記録パワーを得ること）を行う情報（ＯＰＣ情報）を検出するＯＰＣ情報検出回路、１４は、光ヘッド２の読出し信号から、データの記録位置情報であるアドレス情報を復調するアドレス情報復調回路、１５はトラッキングオフセットを可変するトラッキングオフセット可変回路、１６は、フォーカスオフセットを可変するフォーカスオフセット可変回路である。
【０００８】
上記構成において、光ディスク１はスピンドルモータ４により所定の回転数で回転される。該回転状態の光ディスク１に対し、光ヘッド２から、レーザーパワー制御回路６で所定の発光パワーに制御されたレーザー光が光ディスク面に向けて出射される。該光ヘッド２は、光ヘッド制御回路９とスレッド機構３によりその移動位置を制御され、出射レーザー光が光ディスク１上の所定位置に照射される。光ディスク１からの反射光は光ヘッド２によって受光され、光ディスク１に記録された情報が信号として読出される。該読出された信号（読出し信号）からはＲＦ信号や、アドレス信号や、光ヘッド制御用のサーボ誤差信号（フォーカスエラー信号、トラッキングエラー信号）などが得られる。ＲＦ信号は再生信号復調回路１１に入力され、アドレス信号はアドレス情報復調回路１４に入力されてそれぞれ復調される。復調されたＲＦ信号は装置制御回路１２に入力される。サーボ誤差信号はサーボ用信号検出回路８に入力され、該サーボ用信号検出回路８においてフォーカスエラー信号、トラッキングエラー信号が検出される。また、上記再生信号復調回路１１からは、上記復調ＲＦ信号の他にディスクＩＤが出力され、装置制御回路１２に入力される。光ヘッド制御回路９は、サーボ用信号検出回路８から得られたサーボ誤差信号に従い光ヘッド２を制御する。
【０００９】
データを光ディスク１に記録する場合、装置制御回路１２からの指令により光ヘッド制御回路９が光ヘッド２を制御し、記録する光ディスク１の所定位置にレーザー光を集光させる。記録データは装置制御回路１２から変調回路７に送られ、光ディスク１に記録するために適したデータに変換される。次に、該データに応じた発光強度のレーザー光が光ヘッド２から出力され、光ディスク１上にデータが記録される。
【００１０】
ＯＰＣ情報検出回路１３では、記録パワーを可変しながら記録を行っている時と、そのようにして記録を行った領域を再生する時の光ディスクからの反射光を電気信号に変換して検出する。例えば、光ディスク１がＣＤ−Ｒの場合は、該ＯＰＣ情報検出回路１３は、記録時の反射光から変換された電気信号の信号レベルを検出し、再生時には記録マークとスペースの反射光から変換された電気信号の信号レベルを検出する。例えば、ＣＤ−Ｒの場合の記録において、初めて使用する光ディスク（未記録ディスク）の場合には、データを適正に記録するために試し書きによるＯＰＣを行う。ＯＰＣを行うことによって、最適記録パワーとその時の反射光による電気信号レベルを得る。
【００１１】
記録時において、上記ＯＰＣを行う前にはフォーカスオフセットの調整を行う。該フォーカスオフセットの調整は、上記装置制御回路１２により該フォーカスオフセット量を、記録と再生の両方に適する値に設定して行う。該フォーカスオフセットの設定に当っては、対象の光ディスクが未記録ディスクでなく既に記録されている部分が再生可能である場合には、基本的に、フォーカスオフセット量をフォーカスオフセット可変回路１６で可変することで、光ヘッド２の出力に基づくＲＦ信号の振幅が最大となるフォーカスオフセット位置と、同再生エラー信号が最小となるフォーカスオフセット位置とを求め、該求めた両位置の間にフォーカスオフセットを装置制御回路１２により設定する。装置制御回路１２はさらに、上記設定したフォーカスオフセットに基づき、光ヘッド制御回路９を介し上記光ヘッド２を制御する。該制御された光ヘッドで光ディスク１の所定領域に試し書きを行い、ＯＰＣを実行する。ＯＰＣ実行後は、記録またはつなぎ記録を行う。また、上記対象の光ディスクが未記録ディスクでなく既に記録されている部分が再生不可能である場合には、フォーカスオフセット量をフォーカスオフセット可変回路１６で可変することで、光ヘッド２の出力に基づくＲＦ信号の振幅が最大となるフォーカスオフセット位置を求め、該求めたフォーカスオフセット位置と、フォーカスエラー検出回路のオフセットがゼロとなるフォーカスオフセット位置との間に、フォーカスオフセットを装置制御回路１２により設定する。
【００１２】
一方、再生時は、フォーカスオフセットを、再生エラー信号が最小となるように設定する。該再生エラー信号の最小が得られない場合は、フォーカスエラー検出回路オフセットがゼロであるフォーカスオフセットを設定する。特に、未記録ディスクでは再生信号が得られないために、トラッキングエラー信号の振幅が最大となるフォーカスオフセット位置と、フォーカスエラー検出回路オフセットがゼロとなるフォーカスオフセット位置とを求め、該両位置の間に装置制御回路１２によりフォーカスオフセット（第１のフォーカスオフセット）を設定し、該設定したフォーカスオフセット下で試し書き領域に試し書きを行い、その後、該領域を再生して、ＲＦ信号の振幅が最大となるフォーカスオフセットと、再生エラー信号が最小となるフォーカスオフセットとを得る。上記試し書きによる記録が所定になされていないなどＲＦ信号の振幅が最大となるフォーカスオフセットや、再生エラー信号が最小となるフォーカスオフセットが得られない場合は、再生時のフォーカスオフセットは、フォーカスエラー検出回路オフセットがゼロとなるフォーカスオフセットとする。また、試し書き領域に記録パワーを可変して記録するため、再生信号の品質が均一でないため、ＯＰＣで求めたパワーで試し書き領域に記録を行い、その領域で記録を行い、該記録した領域にて上記ＲＦ信号の振幅が最大となる及び上記再生エラー信号が最小となるフォーカスオフセットを求めてもよい。
【００１３】
図２は、図１の光ディスク装置における記録時におけるフォーカスオフセット調整の動作例を示す図である。本図２の説明中で用いる上記図１の構成要素には、図１の場合と同じ符号を用いるとする。
図２において、フォーカスオフセット調整の動作としては、
（１）記録モードの指示が出される（ステップＳ２０１）。
（２）対象の光ディスクが未記録ディスクであるか否かの判別を行う（ステップＳ２０２）。
（３）上記ステップＳ２０２の判別の結果、未記録ディスクである場合は、フォーカスオフセット量をフォーカスオフセット可変回路１６で可変することで、トラッキングエラー信号の振幅が最大となるフォーカスオフセット位置と、フォーカスエラー検出回路オフセットがゼロとなるフォーカスオフセット位置とを求め、該両位置の間に装置制御回路１２によりフォーカスオフセット（第１のフォーカスオフセット）を設定する（ステップＳ２０３）。このとき、トラッキングエラー信号の振幅が最大となるフォーカスオフセット位置が、フォーカスエラー検出回路オフセットがゼロとなるフォーカスオフセット位置に対し、ずれ量がある値以内の場合は、フォーカスエラー検出回路オフセットがゼロとなるフォーカスオフセット位置に設定してもよい。
（４）上記設定したフォーカスオフセットに基づき、装置制御回路１２により光ヘッド制御回路９を介し上記光ヘッド２を制御する。該制御された光ヘッドで光ディスク１の所定領域に試し書きを行い、ＯＰＣを実行する（ステップＳ２０４）。これは、フォーカスオフセットのずれが大きい場合、予め設定してある基準の記録パワー（デフォルトパワー）で記録すると記録マークを形成できないことがあるためである。
（５）さらに、上記制御された記録パワーで複数セクタの記録を行う（ステップＳ２０５）。すなわち、次のＯＰＣ領域にＯＰＣと同じセクタを分配して記録する。ＯＰＣと同じように処理することができるため、特別な処理を追加する必要がない。
【００１４】
（６）フォーカスオフセット量をフォーカスオフセット可変回路１６で可変することで、光ヘッド２の出力に基づくＲＦ信号の振幅と同再生エラー信号とを測定する（ステップＳ２０６）。フォーカスオフセット量の可変は、トラッキングエラー信号の振幅が最大となるフォーカスオフセット位置と、フォーカスエラー検出回路オフセットがゼロとなるフォーカスオフセット位置との間を例えば５分割して行う。再生エラー信号（例えば、ＣＤのＣ１エラー、ＤＶＤのＰＩエラー、再生エラーレート、再生ジッタを表すＰＬＬ位相誤差検出信号等）の代わりに、再生信号のジッタやエラーレートを用いてもよい。ただし、測定は、ＰＬＬが安定に同期してから行う。
（７）上記ステップＳ２０６の測定結果に基づき、ＲＦ信号の振幅が最大となるフォーカスオフセット位置と、再生エラー信号が最小となるフォーカスオフセット位置とを求め、該求めた両位置の間にフォーカスオフセット（第２のフォーカスオフセット）を装置制御回路１２により設定する（ステップＳ２０７）。ＲＦ信号の振幅が最大となるフォーカスオフセット位置が得られない場合は、トラッキングエラー信号の振幅が最大となるフォーカスオフセット位置をその代わりとして用いる。また、再生エラー信号が最小となるフォーカスオフセット位置が得られない場合は、フォーカスエラー検出回路オフセットがゼロとなるフォーカスオフセット位置をその代わりとして用いる。
（８）装置制御回路１２はさらに、上記設定したフォーカスオフセットに基づき、光ヘッド制御回路９を介して上記光ヘッド２を制御し、光ディスク１の所定領域に試し書きを行ってＯＰＣを実行する（ステップＳ２０８）。
（９）次に、つなぎ記録（リンク記録）か否かを判別する（ステップＳ２０９）。
（１０）つなぎ記録（リンク記録）である場合は、そのつなぎ先（リンク先）の情報を再生する（ステップＳ２１０）。
【００１５】
（１１）その後、所定の情報を所定位置に記録する（ステップＳ２１１）。
（１２）上記ステップＳ２０９の判別の結果、つなぎ記録（リンク記録）でない場合は、上記ステップＳ２１１に移り、所定の情報を所定位置に記録する。
（１３）また、上記ステップＳ２０２の判別において記録対象の光ディスクが未記録ディスクでない場合は、既に記録されている部分が再生可能か否かを判別する（ステップＳ２１２）。
（１４）上記ステップＳ２１２の判別の結果、既記録部分が再生可能な場合は、上記ステップＳ２０６の場合と同様、フォーカスオフセット量をフォーカスオフセット可変回路１６で可変することで、ＲＦ信号の振幅と再生エラー信号とを測定する（ステップＳ２１３）。フォーカスオフセット量の可変は、トラッキングエラー信号の振幅が最大となるフォーカスオフセット位置と、フォーカスエラー検出回路オフセットがゼロとなるフォーカスオフセット位置との間を例えば５分割して行う。再生エラー信号（例えば、ＣＤのＣ１エラー、ＤＶＤのＰＩエラー、再生エラーレート、再生ジッタを表すＰＬＬ位相誤差検出信号等）の代わりに、再生信号のジッタやエラーレートを用いてもよい。ただし、測定は、ＰＬＬが安定に同期してから行う。
（１５）上記ステップＳ２１３の測定結果に基づき、ＲＦ信号の振幅が最大となるフォーカスオフセット位置と、再生エラー信号が最小となるフォーカスオフセット位置とを求め、該求めた両位置の間にフォーカスオフセット（第２のフォーカスオフセット）を装置制御回路１２により設定する（ステップＳ２１４）。ＲＦ信号の振幅が最大となるフォーカスオフセット位置が得られない場合は、トラッキングエラー信号の振幅が最大となるフォーカスオフセット位置をその代わりとして用いる。また、再生エラー信号が最小となるフォーカスオフセット位置が得られない場合は、フォーカスエラー検出回路オフセットがゼロとなるフォーカスオフセット位置をその代わりとして用いる。
【００１６】
（１６）その後は、上記ステップＳ２０８におけるＯＰＣ実行、ステップＳ２０９におけるつなぎ記録か否かの判別、ステップＳ２１０におけるつなぎ先の再生を経、ステップＳ２１１で所定の情報を所定位置に記録するかまたは、上記ステップＳ２０９における判別後、ステップＳ２１１の記録動作に移り、所定の情報をディスクの所定位置に記録する。
（１７）さらに、上記ステップＳ２１２の判別の結果、既に記録されている部分が再生不可能な場合は、フォーカスオフセット量をフォーカスオフセット可変回路１６で可変し、ＲＦ信号の振幅を測定する（ステップＳ２１５）。
（１８）上記ステップＳ２１５の測定結果に基づき、ＲＦ信号の振幅が最大となるフォーカスオフセット位置と、フォーカスエラー検出回路オフセットがゼロとなるフォーカスオフセット位置とを求め、該求めた両位置の間にフォーカスオフセット（第３のフォーカスオフセット）を装置制御回路１２により設定する（ステップＳ２１６）。ＲＦ信号の振幅が最大となるフォーカスオフセット位置が得られない場合は、トラッキングエラー信号の振幅が最大となるフォーカスオフセット位置をその代わりとして用いる。
（１９）その後は、上記（１６）と同様、上記ステップＳ２０８におけるＯＰＣ実行、ステップＳ２０９におけるつなぎ記録か否かの判別、ステップＳ２１０におけるつなぎ先の再生を経、ステップＳ２１１で所定の情報を所定位置に記録するかまたは、上記ステップＳ２０９における判別後、ステップＳ２１１の記録動作に移り、所定の情報をディスクの所定位置に記録する。
【００１７】
また、再生の場合においては、リンク動作時やＯＰＣでの再生時を除く通常の記録データの再生時は、フォーカスオフセットを、再生エラー信号が最小になるように設定する。再生エラー信号の最小が得られない場合は、フォーカスエラー検出回路オフセットがゼロとなるように該フォーカスオフセットを設定する。
【００１８】
上記フォーカスオフセット調整における諸判別、フォーカスオフセットの設定、ＯＰＣの実行、記録開始等の動作は全て、予め設定されているプログラムにより、装置制御回路１２内のマイコンが該動作の手順を実行することで行われる。該プログラムは光ディスク装置内のメモリや、接続されるホストコンピュータなどに予め記憶されているものとする。
【００１９】
図３は、図１の光ディスク装置におけるフォーカスオフセットの設定位置の説明図である。本図３においても、その説明中で用いる上記図１の構成要素には、図１の場合と同じ符号を用いる。
図３において、▲１▼はＯＰＣパワーの特性曲線、▲２▼はＣＤのＣ１エラーの特性曲線、▲３▼はＡｔｉｐジッタの特性曲線、▲４▼はＲＦ信号の振幅の特性曲線、▲５▼はトラッキングエラー信号（Ｐｕｓｈ−Ｐｕｌｌ信号）の振幅の特性曲線である。いずれの特性もフォーカスオフセット量を横軸として表してある。また、特性曲線▲５▼上の点Ａはトラッキングエラー信号の振幅の最大点、特性曲線▲４▼上の点ＢはＲＦ信号の振幅の最大点、特性曲線▲２▼上の点Ｃは再生エラー信号の最小点、Ｄはフォーカスエラー検出回路オフセットがゼロとなる点である。特性曲線▲３▼においてｗｏｂｂｌｅ信号にエンコードされたＡｔｉｐ情報（時間情報、記録パワー設定情報、記録パルス情報など）は、Ａｔｉｐジッタが小さいほど良好に再生される。品質の良いｗｏｂｂｌｅ信号が得られることは、記録中における正常な回転制御を可能にし、また、記録パワーの増大を抑えた状態での正常な記録を可能にする。一方、Ｃ１エラー等再生エラーが小さい領域では記録データの再生が良好に行われる。
【００２０】
本発明においては、Ａｔｉｐジッタを良好に再生し、記録動作が良好な状態で行えるようにするとともに、記録データの再生も良好に行えるようにするために、フォーカスオフセットを、上記図３中のＡ〜Ｄ間、Ｂ〜Ｃ間またはＢ〜Ｄ間に設定する。すなわち、上記図２における上記ステップＳ２０３においては、上記第１のフォーカスオフセットを上記図３の上記Ａ〜Ｄ間の値に設定し、上記ステップＳ２０７及びステップＳ２１４においては、上記第２のフォーカスオフセットを上記Ｂ〜Ｃ間の値に設定し、上記ステップＳ２１６においては、上記第３のフォーカスオフセットを上記Ｂ〜Ｄ間の値に設定する。これにより、安定な記録と再生とが可能となる。
【００２１】
上記第１の実施例によれば、光ディスク装置において、溝情報しか有しない完全未記録ディスクに対しても、つなぎ記録を含め、ｗｏｂｂｌｅ情報を良好にした状態での安定な記録が可能となる。また、安定した再生も可能である。
【００２２】
図４は本発明の第２の実施例としての光ディスク装置の構成例を示す図である。本第２の実施例は、上記第１の実施例に対し、装置制御回路に接続する第１、第２のメモリと、演算器とを設けている点が異なる。
図４において、１７は、ＲＦ信号の振幅の最大点（図３中の点Ｂ）と、再生エラー信号の最小点（図３中の点Ｃ）との間に設定されるフォーカスオフセット位置の、トラッキングエラー信号の振幅の最大点（図３中の点Ａ）からのずれを記憶する第１のメモリ、１８は、再生エラー信号の最小点（図３中の点Ｃ）の、トラッキングエラー信号の振幅の最大点（図３中の点Ａ）からのずれを記憶する第２のメモリ、１９は、上記第１のメモリ１７に記憶されている位置における最適記録パワー及び第２のメモリ１８に記憶されている位置における最適記録パワーを演算する演算器である。他の部分の構成は上記図１〜図３に示した第１の実施例の場合と同様である。
【００２３】
上記図４の構成において、例えば装置の製造時において、フォーカスオフセットをフォーカスオフセット可変回路１６により変化させ、トラッキングエラー信号の振幅の最大点、ＲＦ信号の振幅の最大点及び再生エラー信号の最小点を測定し、該ＲＦ信号の振幅の最大点と該再生エラー信号の最小点との間の中間値がトラッキングエラー信号の振幅の最大点からどれくらいずれたオフセットかを第１のメモリ１７に記憶しておく。ディスクに記録を行う場合は、ディスクの起動時にフォーカスオフセット可変回路１６によりフォーカスオフセットを変化させ、トラッキングエラー信号の振幅が最大となるオフセット値を求め、これに第１のメモリ１７に記憶されている補正オフセット量を加算し、該加算後のオフセット量を記録時のフォーカスオフセット量とする。上記中間値は、装置が安定な記録、再生が行える値であれば、いずれの側にずれていてもよい。また、第２のメモリ１８には、上記再生エラー信号の最小点がトラッキングエラー信号の振幅の最大点からどれくらいずれたオフセットかを記憶しておき、ディスクに記録を行う場合は、ディスクの起動時にフォーカスオフセット可変回路１６によりフォーカスオフセットを変化させ、トラッキングエラー信号の振幅が最大となるオフセット値を求め、これに第２のメモリ１８に記憶されている補正オフセット量を加算し、該加算後のオフセット量を記録時のフォーカスオフセット量とする。これにより、再生時にも特にオフセット調整を行うことなく良好な再生を行うことが可能となる。
【００２４】
また、アドレス情報復調回路１４は、アドレス復調時においてエラー訂正を行う機能があり、信号の品質が悪くてエラーがある場合にも正しい復調ができる構成を有する。このエラー訂正機能を利用することで、記録時にフォーカスオフセットを可変してアドレス情報の再生エラー信号が最小となる位置を探すことができる。この場合、例えば装置の製造時において、フォーカスオフセット可変回路１６によりフォーカスオフセット量を変化させ、トラッキングエラー信号の振幅の最大点、ＲＦ信号の振幅の最大点、再生エラー信号の最小点とともに、上記アドレス情報の再生エラー信号の最小点も測定し、該アドレス情報の再生エラー信号の最小点と上記再生エラー信号の最小点との間の中間値が、トラッキングエラー信号の振幅の最大点からどれくらいずれたオフセットかを第１のメモリ１７に記憶しておく。ディスクに記録を行う場合は、ディスクの起動時にフォーカスオフセット可変回路１６によりフォーカスオフセットを変化させ、トラッキングエラー信号の振幅が最大となるオフセット値を求め、これに第１のメモリ１７に記憶されている補正オフセット量を加算し、該加算後のオフセット量を記録時のフォーカスオフセット量とする。上記中間値は、装置が安定な記録、再生が行える値であれば、いずれの側にずれていてもよい。
【００２５】
なお、上記第１のメモリ１７と第２のメモリ１８に記録されている補正量が各装置や各光ディスク媒体において固定量でも安定に記録再生可能な場合がある。該場合は、装置を制御するマイクロプロセッサのプログラムの中で補正量を予め設定しておき、上記第１のメモリ１７と第２のメモリ１８に記録する代わりとしてもよい。
【００２６】
上記第２の実施例によれば、記録時における適正なフォーカスオフセットを予め、上記第１のメモリ１７に記憶しておくことで、記録開始までの時間の短縮化が可能となる。また、上記第１の実施例の場合と同様、完全未記録ディスクに対しても、つなぎ記録を含め、ｗｏｂｂｌｅ情報を良好にした状態での安定な記録が可能となる。また、安定した再生も可能である。
【００２７】
【発明の効果】
本発明によれば、光ディスク装置において、未記録ディスクに対しても、安定な記録と再生が可能となる。
【図面の簡単な説明】
【図１】本発明の第１の実施例の構成例図である。
【図２】図１の構成におけるフォーカスオフセット調整の動作例図である。
【図３】図１の構成におけるフォーカスオフセットの設定位置の説明図である。
【図４】本発明の第２の実施例の構成例図である。
【符号の説明】
１…光ディスク、  ２…光ヘッド、  ３…スレッド機構、  ４…スピンドルモータ、  ６…レーザーパワー制御回路、  ７…変調回路、  ８…サーボ用信号検出回路、  ９…光ヘッド制御回路、  １０…再生エラー情報検出回路、  １１…再生信号復調回路、  １２…装置制御回路、  １３…ＯＰＣ情報検出回路、  １４…アドレス情報復調回路、  １５…トラッキングオフセット可変回路、  １６…フォーカスオフセット可変回路、  １７…第１のメモリ、  １８…第２のメモリ、  １９…演算器。
【図１】
2005050394.tif 000003
【図２】
2005050394.tif 000004
【図３】
2005050394.tif 000005
【図４】
2005050394.tif 000006